(57)【特許請求の範囲】
【請求項１】
光透過性の材料と光吸収性の材料を密着して重ね合わせ、光透過性の材料側からレーザ光を照射して両材料を溶着する半導体レーザ溶着装置において、
任意の時間の設定データを変更したことによるプロファイルデータの変更は、
プロファイル出力設定モードにおいて、変更後の設定データとこの時間の前後の設定データとの間でそれぞれ線形補間により行うことを特徴とする半導体レーザ溶着装置。
【請求項２】
前記任意の時間の設定データの変更が、任意の時間の設定データを消去したときには、この時間の前後の設定データを基に線形補間によりこの時間前後のプロファイルデータを変更することを特徴とする請求項１記載の半導体レーザ溶着装置。
【請求項３】
前記任意の時間の設定データの変更は、
前記プロファイルデータの設定に必要な設定項目と設定データを表示させる操作キーと相反する方向への回転操作により設定項目と設定データとを変更し、所望の設定項目と設定データになったときにプッシュ操作により設定項目と設定データとを決定するジョグスイッチとからなる操作部と、
この操作部の操作に応じて、予め定められた領域に設定項目と設定データとを表示する表示器と、
を前記半導体レーザ溶着装置に設け、
前記操作キーを用いてプロファイル出力設定モードとし、前記ジョグスイッチを用いて任意の時間と設定データとを選択、設定することで行うことを特徴とする請求項１または２のいずれかに記載の半導体レーザ溶着装置。
【請求項４】
前記設定データを記憶する記憶部を具備することを特徴とする請求項１ないし３のいずれかに記載の半導体レーザ溶着装置。
【請求項５】
レーザ出力制御モードとして、パルス出力モード、連続出力モードおよびプロファイル出力モードを択一的に設定してレーザ出力を制御することを特徴とする請求項１ないし４のいずれかに記載の半導体レーザ溶着装置。
【請求項６】
前記プロファイル出力設定モードとして、数値表示モードと波形表示モードとが設けられ、この数値表示モードには設定中および／または設定後に波形表示モードへの変更機能が具備されていることを特徴とする請求項１ないし５のいずれかに記載の半導体レーザ溶着装置。
【発明の詳細な説明】
【技術分野】
【０００１】
本発明は、溶接装置や半導体レーザ溶着装置に係り、特に装置のユーザインターフェースに関するものである。
【背景技術】
【０００２】
溶接装置や溶着装置においては、溶接作業や溶着作業を行う前にパラメータや温度（出力）プロファイルの設定が必要である。このためにユーザーインターフェースとしてパラメータ等を入力する入力部とパラメータ等を表示する表示部とが設けられている。通常この入力部にはそれぞれ固有の機能を付与された複数のキースイッチが用いられている。特に溶接電流値やレーザ出力値などの数値を入力するためには数値増減キーが一般的であり、プロファイルの設定等には数値入力が欠かせないことから、キー操作では負担が大きく、操作性が悪いという問題点があった。
このような欠点を解決するために１つで少なくとも第１、第２および第３のスイッチ操作が可能な手動操作式スイッチを用いる技術が既に提案されている（例えば、特許文献１）。
【０００３】
図５はこのようなスイッチを用いた抵抗溶接測定装置のユーザーインターフェース部を形成する操作部と表示部の簡易概略図、図６はこの装置の概略ブロック図である。
図６に示すように、この抵抗溶接測定装置は複数の機能を有するスイッチ３１の操作状況はスイッチ入力回路３２を介してスイッチ入力処理部３３に入力される。
溶接電流Ｉはこの電流Ｉが流れる抵抗溶接機の導体３５に取り付けられた電流センサ３４で検出され、測定回路３６に与えられ、測定回路３６により電流Ｉの測定値や通電時間の測定値が求められ、測定値データが測定値記憶部３７に格納される。
【０００４】
スイッチ入力処理部３３は、プログラム記憶部３８に格納されているプログラムにしたがって本装置における一切のスイッチ入力処理を実行する。スイッチ入力処理部３３には、上記したスイッチ入力回路３２、測定値記憶部３７およびプログラム記憶部３８だけでなく、設定値記憶部３９、表示部４０およびモード管理部４１も接続される。
スイッチ３１により設定入力された各種測定または監視条件の設定値は設定値記憶部３９に格納し、また、表示部４０に表示する。スイッチ３１に関する操作履歴や現時のモード状況（ディスプレイ画面内容）はモード管理部４１で管理する。
【０００５】
図７に、この抵抗溶接測定装置におけるスイッチ３１の操作種別からみたスイッチ入力処理部３３の全体手順を示す。スイッチ３１においては、５種類のスイッチ操作が可能となっている。より詳細には、右回り可能および左回り可能な構成からそれぞれ「右回し操作」および「左回し操作」が可能であり、弾撥的にプッシュ可能な構成から「１回押し操作」、「長時間押し操作」および「２回連続押し操作」が可能となっている。
【０００６】
「右回し操作」または「左回し操作」では、スイッチ３１が所定の角度（たとえば１５゜）回転移動する度にスイッチ入力回路３２より１単位のスイッチ入力信号（右回し操作または左回し操作検出信号）が出力されるようになっている。「１回押し操作」では、所定時間（たとえば１秒）以内にスイッチ３１が１回押されたときに、スイッチ入力回路３２より１単位のスイッチ入力信号（１回押し操作検出信号）が出力されるようになっている。「長時間押し操作」では、所定時間（たとえば１秒）以上持続してスイッチ３１が押されたときに、スイッチ入力回路３２より１単位のスイッチ入力信号（長時間押し操作検出信号）が出力されるようになっている。「２回連続押し操作」では、所定時間（たとえば１．５秒）内にスイッチ３１が２回続けて押されたときに、スイッチ入力回路３２より１単位のスイッチ入力信号（２回押し操作検出信号）が出力されるようになっている。
【０００７】
図７に示すように、電源が投入されると、所定の初期化処理（ステップＡ１）が行われ、表示部４０に初期画面が表示され、スイッチ３１におけるスイッチ操作が受付可能または有効となる（ステップＡ２）。以後、任意のスイッチ操作に応動して各時点のモードまたは状況に応じた入力処理が行われる。すなわち、スイッチ入力処理部３３により、上記５種類のスイッチ操作にそれぞれ応じて右回し操作入力処理、左回し操作入力処理、１回押し操作入力処理、２回連続押し操作入力処理および長時間押し操作入力処理が実行される。
【０００８】
一例として、図８に、スイッチ入力処理部３３における右回し操作入力処理の手順を示す。この入力処理では、スイッチ３１の「右回し操作」に応動して、先ずモード管理部４１に照会して現時のモード状況（ディスプレイ画面内容）を認識または確認する（ステップＢ１、Ｂ２、Ｂ３）。この実施形態における抵抗溶接測定装置は、上位モードとして『プログラム』モードと『実行』モードを用意しており、これら２つの上位モードのどちらかで動作する。
【０００９】
さらに、『プログラム』モードの下には種々の下位モードを用意しており、その中の「項目選択」モードおよび「数値入力」モードで「右回し操作」を有効に受け付ける。しかして、『プログラム』モード下の「数値入力」モードで「右回し操作」が行われたときは、表示部４０において点滅位置（図示せず。）の数値をインクリメントする（ステップＢ４）。
また、『プログラム』モード下の「項目選択」モードで「右回し操作」が行われたときは、表示部４０上で選択可能な項目（図示せず。）を順送りする（ステップＢ５）。
【００１０】
また、『実行』モードの下にも種々の下位モードを用意しており、その中の「スケジュール番号選択」モード、「項目選択」モードおよび「設定値表示」モードで「右回し操作」を有効に受け付ける。しかして、『実行』モード下では、下位の「スケジュール番号選択」モードで「右回し操作」が行われたときは、点滅位置（図示せず。）の数値（スケジュール番号）をインクリメントする（ステップＢ６）。また、「項目選択」モードで「右回し操作」が行われたときは、表示部４０において選択可能な項目（図示せず。）を順送りする（ステップＢ７）。また、「設定値表示」モードで「右回し操作」が行われたときは、表示部４０において設定値表示の項目（図示せず。）を順送りする（ステップＢ８）。
【００１１】
【特許文献１】特開２００３−１３６２５１号公報
【発明の開示】
【発明が解決しようとする課題】
【００１２】
しかしながら、この技術は数値を入力するときのキー操作の負担を軽減するという点では操作性が向上しているが、それぞれ固有の機能を持った複数のスイッチを１つのスイッチで置き換え、種々の機能を持たせるためにキー操作をするときに現在のモードを理解していないと所望の機能を発揮させることができず、この点において前述の欠点を解決し切れていない。
また、表示部は数値表示ができるだけで、溶接や溶着の溶接電流値やレーザ出力値のプロファイル（時間対溶接電流値または時間対レーザ出力値）を図形で表示することでできず、プロファイルを視覚的に捉えることができないという欠点があった。
【００１３】
本発明は、上記課題を解決するためになされたもので、基本的には数値入力用途に適したジョグスイッチとそれぞれ固有の機能を持たせた複数のスイッチとで操作部を構成することで、キー操作の負担を少なくし、操作性を向上させることができる半導体レーザ溶着装置を提供することを目的とする。
【課題を解決するための手段】
【００１４】
請求項１に係る発明になる半導体レーザ溶着装置は、光透過性の材料と光吸収性の材料を密着して重ね合わせ、光透過性の材料側からレーザ光を照射して両材料を溶着する半導体レーザ溶着装置において、任意の時間の設定データを変更したことによるプロファイルデータの変更を、プロファイル出力設定モードにおいて、変更後の設定データとこの時間の前後の設定データとの間でそれぞれ線形補間により行うことを特徴とするものである。
請求項２に係る発明になる半導体レーザ溶着装置は、前記任意の時間の設定データの変更が、任意の時間の設定データを消去したときには、この時間の前後の設定データを基に線形補間によりこの時間前後のプロファイルデータを変更することを特徴とするものである。
【００１５】
請求項３に係る発明になる半導体レーザ溶着装置における前記任意の時間の設定データの変更は、前記プロファイルデータの設定に必要な設定項目と設定データを表示させる操作キーと相反する方向への回転操作により設定項目と設定データとを変更し、所望の設定項目と設定データになったときにプッシュ操作により設定項目と設定データとを決定するジョグスイッチとからなる操作部と、この操作部の操作に応じて、予め定められた領域に設定項目と設定データとを表示する表示器と、を前記半導体レーザ溶着装置に設け、前記操作キーを用いてプロファイル出力設定モードとし、前記ジョグスイッチを用いて任意の時間と設定データとを選択、設定することで行うことを特徴とするものである。
【００１６】
請求項４に係る発明になる半導体レーザ溶着装置は、前記設定データを記憶する記憶部を具備することを特徴とするものである。
【００１７】
請求項５に係る発明になる半導体レーザ溶着装置は、レーザ出力制御モードとして、パルス出力モード、連続出力モードおよびプロファイル出力モードを択一的に設定してレーザ出力を制御することを特徴とするものである。
【００１８】
請求項６に係る発明になる半導体レーザ溶着装置は、前記プロファイル出力設定モードとして、数値表示モードと波形表示モードとが設けられ、この数値表示モードには設定中および／または設定後に波形表示モードへの変更機能が具備されていることを特徴とするものである。
【発明の効果】
【００１９】
請求項１に係る発明によれば、プロファイル出力設定モードにおいて、任意の時間の設定データを変更することで変更後の設定データとこの時間前後の設定データによりプロファイルデータを変更することができるので、レーザ出力プロファイルの変更を容易にすることができる半導体レーザ溶着装置を提供することができる。
請求項２に係る発明によれば、プロファイル出力設定モードにおいて、任意の時間の設定データを消去することでこの時間前後の設定データによりプロファイルデータを変更することができるので、レーザ出力プロファイルの変更を容易にすることができる半導体レーザ装置を提供することができる。
【００２０】
請求項３に係る発明によれば、固有の機能を持ったスイッチを操作し、操作されたスイッチに応じて必要な設定項目を表示部に表示させると共に、予め定められた項目の箇所にカーソルを表示させ、ジョグスイッチの時計方向または反時計方向への回転で設定項目箇所を順に選択し、選択後は同じ操作により設定項目の設定値を素早く設定できるので、特にプロファイル出力設定モードへの機能選択、任意の時間と設定データとの項目設定、数値の設定において使い勝手のよい半導体レーザ溶着装置を提供することができる。
【００２１】
請求項４に係る発明によれば、設定値を記憶しておくことができるので、設定値に応じて複数のレーザ溶着工程をプログラムすることができるから、作業性のよい半導体レーザ溶着装置を提供することができる。
【００２２】
請求項５に係る発明によれば、レーザ出力制御モードとして複数の出力モードを選択することができるようにしたので、それぞれの出力モードで操作性のよい半導体レーザ溶着装置を提供することができる。
【００２３】
請求項６に係る発明によれば、プロファイル出力設定が数値表示モードで実行されているとき、設定中でも設定後でも波形表示に変更できるようにしたので、容易に時間ごとのレーザ出力を波形として確認できるから、数値表示モード、波形表示モードいずれであっても操作性のよいプロファイル出力設定が可能な半導体レーザ溶着装置を提供することができる。
【発明を実施するための最良の形態】
【００２４】
次に本発明について図面を用いて詳細に説明する。
図１は、本発明になる半導体レーザ溶着装置の１実施形態の要部ブロック図である。
図１において、１は半導体レーザ溶着装置１０全体を制御するが、この実施の形態では特に操作部からのスイッチ操作信号を受けて項目の設定や数値の設定、動作モードの変更等の制御を行うＣＰＵ、２は各種機能を割り当てられた操作キー（具体的には後述する。）と数値と項目を設定・選択するジョグスイッチからなる半導体レーザ溶着装置１０の操作部、３は各種設定時の表示画面やレーザ出力プロファイル等を表示する表示部である。
【００２５】
４は操作部２の操作キーによりプロファイル出力設定モードとされたときにキー操作とジョグスイッチによるレーザ出力プロファイルの設定を受けてテーブルとして格納するレーザ出力プロファイルテーブル、５は操作部２の操作により選択されたレーザ出力プロファイルをレーザ出力プロファイルテーブル４から読み出してレーザ出力プロファイルとして設定するレーザ出力プロファイル設定部、６はレーザ出力プロファイル設定部５からのレーザ出力プロファイルデータを受けてこのレーザ出力プロファイルに従ったレーザ出力が得られるようにレーザ光源（図示せず）を制御するレーザ出力制御部である。
【００２６】
このレーザ出力プロファイルテーブル４には１つのレーザ溶着工程分のレーザ出力プロファイルだけではなく、複数の工程分のプロファイルデータを記憶させることができ、プログラムナンバーで管理される。レーザ出力制御部６からは前記レーザ光源へ制御パラメータとして駆動電流が供給され、レーザ光源の出力が決定される。そして、設定されたレーザ出力プロファイルに追随させるためには、公知のこの駆動電流を電流検出素子で検出し、フィードバックして制御する手段が用いられる。
【００２７】
図２は、本発明になる半導体レーザ溶着装置１０の操作部２と表示部３の概略外観図である。図２において、操作部２は操作キーとしてヒート条件ナンバーを変更するプログラムモードに移行する「ＰＲＯＧＲＡＭ」キー２１、ヒート条件設定を変更するデータセットモードに移行する「ＤＡＴＡ  ＳＥＴ」キー２２、設定されたヒート条件でヒートするためのオペレートモードに移行する「ＯＰＥＲＡＴＥ」キー２３、機器固有の条件を設定するパラメータモードに移行する「ＰＡＲＡＭＥＴＥＲ」キー２４、ガイド光の出力の開始／停止を制御する「ＰＩＬＯＴ  ＯＮ」キー２５、レーザ出力準備状態への移行とレーザ出力の開始を制御する「ＬＡＳＥＲ  ＯＮ」キー２６、レーザ出力の停止、またはエラーの解除の制御を行う「ＳＴＯＰ／ＲＥＳＥＴ」キー２７、データセットモードで次のページへ移行する「ＮＥＸＴ」キー２８、および項目設定や数値設定を行うジョグスイッチ２９からなる。
また、表示部３には操作部２からのモード設定により、所定のデータが表示されるが、ここではオペレートモードにおける表示の１例を示している。
【００２８】
ＣＰＵ１はユーザーインターフェースとして、操作部２の操作キー２１〜２８とジョグスイッチ２９の操作状況を入力し、この状況を解析する入力解析部、解析結果により項目の設定や設定された項目に必要な数値を選択または設定する項目設定部と数値設定部、データセットモードで数値表示とプロファイル表示（時間対出力の図形表示）との相互表示変換部、データセットモードでプロファイルデータの変更を実現するプロファイルデータ変更部等のプログラムを備える。
次にレーザ出力プロファイル設定を例にとって、操作部２の操作の説明と併せて表示部３の表示について説明する。
【００２９】
「ＤＡＴＡ  ＳＥＴ」キー２２を操作することでデータセットモードに移行する。
図３に「データセット」時の最初の画面を示す。（１）〜（１６）が設定可能な項目であり、設定できる項目はカーソルで表示され、ジョグスイッチ２９の左右の回転に応じて項目間を移動し、所望の項目を選択し、そこでジョグスイッチ２９を押下することで項目を決定する。このようにして項目を決定した後、ジョグスイッチ２９を左右に回転させ数値を増減させて、所望の値になったときにジョグスイッチ２９を押下し、その値に決定する。
【００３０】
項目（１）〜（１６）についてプロファイル設定に直接関連する項目のみ説明する。（１）はプログラムナンバー設定、（２）はレーザー出力制御モード設定、（３）は縦軸（電力）のレンジ設定、（４）は縦軸（電流）のレンジ設定、（８）は波形表示、（１０）はポイント（十字カーソル）表示、（１１）は十字カーソル現在時間表示、（１２）は十字カーソル現在出力値表示、（１４）は横軸フルスケール時間設定、（１６）は横軸開始時間設定である。
【００３１】
次に具体的に設定方法について説明する。
ジョグスイッチ２９を左／右回転しカーソルを（１）のプログラムナンバー設定に合わせ、ジョグスイッチ２９を押下してプログラムナンバー設定モードとしてから、ジョグスイッチ２９を左／右に回転し、所望のプログラムナンバーを表示させ、その時点でジョグスイッチ２９を押下し、プログラムナンバーを決定する。
【００３２】
次に、ジョグスイッチ２９を左／右回転しカーソルを（２）のレーザー出力制御モード設定に合わせ、ジョグスイッチ２９を押下してレーザー出力制御モード設定モードとしてから、ジョグスイッチ２９を左／右に回転し、プロファイル出力モードを表示させ、その時点でジョグスイッチ２９を押下し、レーザー出力制御モードをプロファイル出力モードに決定する。
【００３３】
続いて、プロファイルデータを設定する。このプロファイルデータの設定には数値から設定する方法と波形から設定する方法がある。
最初に波形から設定する方法について説明する。
【００３４】
数値から設定する方法と波形から設定する方法とにかかわらず、いずれの方法においても、プロファイルデータを設定するときにはレーザ出力開始からの「時間」とこの時間におけるレーザの「出力」とを設定する。
波形から設定する場合は「ＤＡＴＡ  ＳＥＴ」キー２２を押下すると、図３のような表示が表示部３に現れるので、十字カーソル現在時間表示（１１）と十字カーソル現在出力値（１２）とを設定しながら、十字カーソルを移動させつつ、ポイントを設定する。新しくポイントが設定される度に前に設定されたポイントとの間は直線近似により接続され、この間のプロファイルが設定される。このポイントはプロファイル設定において、オペレータが予め決めておいたものである。
【００３５】
具体的には次のようにして設定する。
ジョグスイッチ２９を左／右方向に回してカーソルを十字カーソル現在時間表示（１１）に移動させた後押下し、十字カーソル現在時間表示入力状態とする。ここで、ジョグスイッチ２９を左／右方向に回して所望の数値を表示させ、ジョグスイッチ２９を押下してこの数値に決定する。そして、同じようにして、十字カーソル現在出力値（１２）にカーソルを合わせ、所望の数値を表示させてこの数値に決定する。このとき十字カーソルがこれらの数値で指定される位置に移動する。ここで、ジョグスイッチ２９を長めの時間（約１秒程度）押下（以下、長押下という）すると、十字カーソルがこのとき表示されている位置で確定される。このような操作を予め決めておいたポイントの数だけ繰り返すことで、プロファイルが作成される。
【００３６】
次に、このようにして作成されたプロファイルを修正する方法について説明する。この修正方法は修正内容によって異なる。
【００３７】
ポイント間に新しくポイントを追加するときには、追加したいポイントに応じた時間と出力値とを前述のような方法で設定する。こうすることで、新しく追加したポイントの前後のポイントとの間で直線近似によりプロファイルが修正作成される。
【００３８】
一方、既存のポイントを消去する時には、ジョグスイッチ２９を左／右方向に回してカーソルを十字カーソル現在時間表示（１１）に移動させて、ここで消去したいポイントと同じ時間になるように数値を変更してから、ジョグスイッチ２９を十字カーソル現在時間表示（１１）に移動させた後長押下する。こうして、この消去したいポイントが消去され、消去されたポイントの前後のポイント間で直線近似によりプロファイルが修正作成される。
【００３９】
次に数値からプロファイルを設定する方法について説明する。
数値から設定する場合は「ＤＡＴＡ  ＳＥＴ」キー２２を押下すると前述のように最初は図３のような表示が表示部３に現れる。この状態で「ＮＥＸＴ」キー２８を押下するとその度に表示部３の表示が変化し、３回目の押下のときに図４のような表示が表示部３に現れるので、ここでレーザ出力開始からレーザ出力終了までを最大２５６ポイントに分け、それぞれのポイントへの到達時間とその時点でのレーザ出力を設定する。
デフォルト状態では、ＰＯＩＮＴ「０００」に「０．０００」ｓ、「０．０」Ｗと表示されており、その他の行は００１〜２５５までのＰＯＩＮＴ番号の外はハイフン「−」表示となっている。
【００４０】
この状態から、時間と出力値とを設定するには、ジョグスイッチ２９を右回転させて２行目（ＰＯＩＮＴ「００１」）の一番左のハイフン「−」にカーソルを移動させ、ジョグスイッチ２９を押下してＰＯＩＮＴ「００１」に決定する。このとき、カーソルが右に移動し、時間を入力することが可能となり、ここでジョグスイッチ２９を左／右に回転させ所望の値（例えば、１ｓ）を表示させ、ジョグスイッチ２９を押下し、その値を設定する。この設定が終わるとカーソルはさらに右に移動し、出力を入力することが可能となり、ここでジョグスイッチ２９を左／右に回転させ所望の値（例えば、１Ｗ）を表示させ、ジョグスイッチ２９を押下し、その値を設定する。
【００４１】
続いて設定する場合はジョグスイッチ２９を右回転させて３行目（ＰＯＩＮＴ「００２」）の一番左のハイフン「−」にカーソルを移動させ、ジョグスイッチ２９を押下してＰＯＩＮＴ「００２」に決定する。このとき、カーソルが右に移動し、時間を入力することが可能となり、ここでジョグスイッチ２９を左／右に回転させ所望の値（例えば、２ｓ）を表示させ、ジョグスイッチ２９を押下し、その値を設定する。この設定が終わるとカーソルはさらに右に移動し、出力を入力することが可能となり、ここでジョグスイッチ２９を左／右に回転させ所望の値（１Ｗ）を表示させ、ジョグスイッチ２９を押下し、その値を設定する。
【００４２】
以降、必要に応じて同じ操作を繰り返し、必要なＰＯＩＮＴ数に基づいて時間とそれぞれの時間における出力との関係を設定し、プロファイルを完成する。なお、プロファイル完成後でも作成中でも「ＤＡＴＡ  ＳＥＴ」キー２２を操作することで数値表示モードからプロファイル波形に表示を変更することができる。
【００４３】
プロファイルを設定後、一部のポイントを消去したい場合は、ジョグスイッチ２９を左／右回転させて、消去したいＰＯＩＮＴ行の一番左にカーソルを移動させ、そこでジョグスイッチ２９を押下し、ＰＯＩＮＴ行を決定する。この後ジョグスイッチ２９を左／右回転させ、アスタリスク「＊」を表示させ、消去するポイントであることを決定する。他にも消去するポイントがある場合は、同じようにジョグスイッチ２９を操作して決定する。
このようにして、消去したいポイントの決定が終了した後、「ＳＴＯＰ／ＲＥＳＥＴ」キー２７を押下することで、アスタリスク「＊」を付けたポイントのみが消去され、残ったデータが上にシフトする。
【００４４】
以上のように、操作部２に項目と数値の変更機能と確定機能をジョグスイッチ２９に、固有の機能をそれぞれ独立した操作キー２１〜２８に持たせることとし、併せてジョグスイッチ２９と操作キー２１〜２８の操作に応じて表示部３に項目と数値を表示させることとしている。このため、オペレータは表示部３の表示を目視しながら操作部２を操作すれば、所望の操作が可能となるか明確に認識できるので操作が容易になり、操作性が向上する。
【図面の簡単な説明】
【００４５】
【図１】本発明になる半導体レーザ溶着装置の要部ブロック図である。
【図２】本発明になる半導体レーザ溶着電源の操作部と表示部の概略外観図である。
【図３】表示画面例で「データセット」時の最初の画面を示す図である
【図４】プロファイル設定時の表示部の表示例を示す図である。
【図５】従来の技術であるユーザーインターフェース部を形成する操作部と表示部の簡易概略図である。
【図６】図５のインターフェース部を備える装置の概略ブロック図である。
【図７】図５の操作部のスイッチの機能判定を示すフローチャート図である。
【図８】一例として、スイッチ入力処理部３３における右回し操作入力処理の手順を示す図である。
【符号の説明】
【００４６】
１  ＣＰＵ
２  操作部
３  表示部
４  レーザ出力プロファイルテーブル
５  レーザ出力プロファイル設定部
６  レーザ出力制御部
２１  「ＰＲＯＧＲＡＭ」キー
２２  「ＤＡＴＡ  ＳＥＴ」キー
２３  「ＯＰＥＲＡＴＥ」キー
２４  「ＰＡＲＡＭＥＴＥＲ」キー
２５  「ＰＩＬＯＴ  ＯＮ」キー
２６  「ＬＡＳＥＲ  ＯＮ」キー
２７  「ＳＴＯＰ／ＲＥＳＥＴ」キー
２８  「ＮＥＸＴ」キー
２９  ジョグスイッチ
【図１】
0005158700.tif 000002
【図２】
0005158700.tif 000003
【図３】
0005158700.tif 000004
【図４】
0005158700.tif 000005
【図５】
0005158700.tif 000006
【図６】
0005158700.tif 000007
【図７】
0005158700.tif 000008
【図８】
0005158700.tif 000009